(57)【特許請求の範囲】
【請求項１】
杭頭部にプレキャストコンクリート部材を支持させ、その状態で前記杭頭部と前記プレキャストコンクリート部材との間にコンクリートを充填し、前記杭頭部と前記プレキャストコンクリート部材とを接合するプレキャストコンクリート部材の杭頭部接合方法において、
前記プレキャストコンクリート部材の杭頭部外周面と対向する面に固定される部材側支持具と、前記杭頭部に対する前記プレキャストコンクリート部材の位置が固定された状態において、前記部材側支持具に対し杭軸方向及び杭径方向で相対移動可能、且つ、前記杭頭部の外周面に固定可能な杭側支持具と、該杭側支持具と前記部材側支持具とを所望の位置で剛結合する結合手段とからなる接合支持部材を使用し、
前記杭頭部と前記プレキャストコンクリート部材との相対位置を調整するとともに、前記部材側支持具と前記杭側支持具との相対位置を調整した後、
該杭側支持具と前記部材側支持具とを剛結合し、前記杭頭部に前記接合支持部材を介して前記プレキャストコンクリート部材を支持させ、その状態で前記杭頭部と前記プレキャストコンクリート部材との間にコンクリートを充填することを特徴とするプレキャストコンクリート部材の杭頭部接合方法。
【請求項２】
前記杭頭部と前記プレキャストコンクリート部材との相対位置を調整するとともに、前記部材側支持具に対する前記杭側支持具の相対位置を調整した後に、前記杭側支持具を前記杭頭部に固定する請求項１に記載のプレキャストコンクリート部材の杭頭部接合方法。
【請求項３】
前記杭側支持具を前記杭頭部の外周に予め固定しておき、その状態で前記杭頭部と前記プレキャストコンクリート部材との相対位置を調整しつつ、前記部材側支持具と前記杭側支持具との相対位置を調整し、しかる後、該杭側支持具と前記部材側支持具とを剛結合する請求項１に記載のプレキャストコンクリート部材の杭頭部接合方法。
【請求項４】
前記プレキャストコンクリート部材を吊り持ち支持する吊り枠を使用し、該吊り枠には、クレーンに吊り持ちされる吊り枠本体と、該吊り枠本体下に配置した前記プレキャストコンクリート部材を前記吊り枠本体に支持させる吊り具と、前記吊り枠本体のプレキャストコンクリート部材の杭挿入部に整合させた位置に下向きに突設された高さ調整可能な支持脚部とを備え、前記支持脚部を前記杭頭部上面に支持させ、前記吊り枠を前記杭頭部に支持させるとともに、前記支持脚部の高さを調整することにより前記杭頭部と前記プレキャストコンクリート部材との相対高さを調整する請求項１〜３の何れか１に記載のプレキャストコンクリート部材の杭頭部接合方法。
【請求項５】
プレキャストコンクリート部材を杭頭部に接合する際、前記杭頭部に前記プレキャストコンクリート部材が接合支持部材を介して仮支持されるようにしたプレキャストコンクリート部材の杭頭部支持構造において、
前記接合支持部材は、前記プレキャストコンクリート部材の杭頭部外周面と対向する面に固定される部材側支持具と、前記杭頭部に対する前記プレキャストコンクリート部材の位置が固定された状態において、前記部材側支持具に対し杭軸方向及び杭径方向で相対移動可能、且つ、前記杭頭部の外周面に固定される杭側支持具と、該杭側支持具と前記部材側支持具とを所望の位置で剛結合する結合手段とを備え、
前記杭頭部と前記プレキャストコンクリート部材との相対位置を調整する際に、前記部材側支持具と前記杭側支持具との相対位置が調整でき、且つ、調整後の位置で前記部材側支持具と前記杭側支持具とを剛結合できるようにしたことを特徴とするプレキャストコンクリート部材の杭頭部支持構造。
【発明の詳細な説明】
【技術分野】
【０００１】
本発明は、主に複数の杭に梁を支持させた桟橋等の構造物の構築に際し、当該梁を構成するプレキャストコンクリート部材と杭頭部とを接合する際にプレキャストコンクリート部材を杭頭部に支持させるプレキャストコンクリート部材の杭頭部接合方法及び杭頭部支持構造に関する。
【背景技術】
【０００２】
従来、桟橋等の複数の杭に梁を支持させた構造物は、水底等に各杭を打設した後、隣接するこれら杭間に鉄骨の架設や鉄筋の配筋等を行うとともに、杭に支持させた支保工を利用して杭間に型枠を形成し、コンクリートを現場打ちすることによって梁を形成するとともに梁と杭頭部とを接合していた。
【０００３】
しかしながら、このような工法では、梁を現場打ちコンクリートで形成するため、各作業を行うための作業足場や支保工の設置、鉄筋・鉄骨の配置、型枠の組立・解体、コンクリートの打設・養生等の全ての作業を施工現場で行わなければならず、海象・気象条件の影響が大きいとともに、工期が長期化するという問題があった。
【０００４】
そこで、このような問題を鑑み、従来では、梁を構成する１又は複数のプレキャストコンクリート部材を予め陸上の工場又は製作ヤードで製作し、それを施工現場に搬送し、クレーン船や陸上に設置されたクレーンによって吊り上げて杭頭部に当該プレキャストコンクリート部材を設置し、その状態で杭頭部とプレキャストコンクリート部材との間にコンクリートを打設することにより杭頭部に梁を接合させるようにした工法が用いられている（例えば、特許文献１を参照）。
【０００５】
この種の工法においては、プレキャストコンクリート部材に杭頭部が挿入される貫通孔を設けておくとともに、貫通孔の内周面より鉄骨等の支持部材を突出させておき、この鉄骨等の支持部材の下面を杭上面又は杭外周面に突設されたブラケットによって受けてプレキャストコンクリート部材を杭に仮支持させ、その状態で鉄筋の配筋・接続を行うとともに、貫通孔内にコンクリートを打設するようにしていた。
【先行技術文献】
【特許文献】
【０００６】
【特許文献１】特開平８−１００４６４号公報
【発明の概要】
【発明が解決しようとする課題】
【０００７】
しかしながら、上述の如き従来の技術では、プレキャストコンクリート部材の支持部材を杭上面部又は杭頭部外周面に固定されたブラケットで支持する構造であるので、プレキャストコンクリート部材を所望の高さに設置するためには、各杭の支持部材を支持する杭上面又はブラケットの高さが一致してなければならず、その為、各杭又はブラケットを高い精度で設置する必要があり、作業が煩雑で工費及び工期が増大するという問題があった。
【０００８】
また、このようなプレキャストコンクリート部材と杭頭部との接合においては、杭頭モーメントに対する埋め込み長の不足を補うため、プレキャスト部材に埋設された鉄筋を直接又は固定用プレートを介して杭頭部に溶接等によって接合することが要求される事例が多い。
【０００９】
その場合、従来の技術では、プレキャストコンクリート部材に埋設された鉄筋の設置位置が支持部材との相対位置によって決定されるため、各杭又はブラケットには、鉄筋位置を考慮してより高い精度での設置が要求されるという問題があり、また、設計変更等に柔軟に対応出来難いという問題があった。
【００１０】
そこで、本発明は、このような従来の問題に鑑み、杭頭部とプレキャストコンクリート部材との位置合わせを容易に行え、工費の削減及び工期の短縮を図ることができるプレキャストコンクリート部材の杭頭部接合方法及び杭頭部支持構造の提供を目的としてなされたものである。
【課題を解決するための手段】
【００１１】
上述の如き従来の問題を解決するための請求項１に記載の発明の特徴は、杭頭部にプレキャストコンクリート部材を支持させ、その状態で前記杭頭部と前記プレキャストコンクリート部材との間にコンクリートを充填し、前記杭頭部と前記プレキャストコンクリート部材とを接合するプレキャストコンクリート部材の杭頭部接合方法において、前記プレキャストコンクリート部材の杭頭部外周面と対向する面に固定される部材側支持具と、前記杭頭部に対する前記プレキャストコンクリート部材の位置が固定された状態において、前記部材側支持具に対し杭軸方向及び杭径方向で相対移動可能、且つ、前記杭頭部の外周面に固定可能な杭側支持具と、該杭側支持具と前記部材側支持具とを所望の位置で剛結合する結合手段とからなる接合支持部材を使用し、前記杭頭部と前記プレキャストコンクリート部材との相対位置を調整するとともに、前記部材側支持具と前記杭側支持具との相対位置を調整した後、該杭側支持具と前記部材側支持具とを剛結合し、前記杭頭部に前記接合支持部材を介して前記プレキャストコンクリート部材を支持させ、その状態で前記杭頭部と前記プレキャストコンクリート部材との間にコンクリートを充填するプレキャストコンクリート部材の杭頭部接合方法にある。
【００１２】
請求項２に記載の発明の特徴は、請求項１の構成に加え、前記杭頭部と前記プレキャストコンクリート部材との相対位置を調整するとともに、前記部材側支持具に対する前記杭側支持具の相対位置を調整した後に、前記杭側支持具を前記杭頭部に固定することにある。
【００１３】
請求項３に記載の発明の特徴は、請求項１の構成に加え、前記杭側支持具を前記杭頭部の外周に予め固定しておき、その状態で前記杭頭部と前記プレキャストコンクリート部材との相対位置を調整しつつ、前記部材側支持具と前記杭側支持具との相対位置を調整し、しかる後、該杭側支持具と前記部材側支持具とを剛結合することにある。
【００１４】
請求項４に記載の発明の特徴は、請求項１〜３の何れか１の構成に加え、前記プレキャストコンクリート部材を吊り持ち支持する吊り枠を使用し、該吊り枠には、クレーンに吊り持ちされる吊り枠本体と、該吊り枠本体下に配置した前記プレキャストコンクリート部材を前記吊り枠本体に支持させる吊り具と、前記吊り枠本体のプレキャストコンクリート部材の杭挿入部に整合させた位置に下向きに突設された高さ調整可能な支持脚部とを備え、前記支持脚部を前記杭頭部上面に支持させ、前記吊り枠を前記杭頭部に支持させるとともに、前記支持脚部の高さを調整することにより前記杭頭部と前記プレキャストコンクリート部材との相対高さを調整することにある。
【００１５】
上述の如き従来の問題を解決するための請求項５に記載の発明の特徴は、  プレキャストコンクリート部材を杭頭部に接合する際、前記杭頭部に前記プレキャストコンクリート部材が接合支持部材を介して仮支持されるようにしたプレキャストコンクリート部材の杭頭部支持構造において、前記接合支持部材は、前記プレキャストコンクリート部材の杭頭部外周面と対向する面に固定される部材側支持具と、前記杭頭部に対する前記プレキャストコンクリート部材の位置が固定された状態において、前記部材側支持具に対し杭軸方向及び杭径方向で相対移動可能、且つ、前記杭頭部の外周面に固定される杭側支持具と、該杭側支持具と前記部材側支持具とを所望の位置で剛結合する結合手段とを備え、前記杭頭部と前記プレキャストコンクリート部材との相対位置を調整する際に、前記部材側支持具と前記杭側支持具との相対位置が調整でき、且つ、調整後の位置で前記部材側支持具と前記杭側支持具とを剛結合できるようにしたプレキャストコンクリート部材の杭頭部支持構造にある。
【発明の効果】
【００１６】
本発明に係るプレキャストコンクリート部材の杭頭部接合方法は、上述したように、杭頭部にプレキャストコンクリート部材を支持させ、その状態で前記杭頭部と前記プレキャストコンクリート部材との間にコンクリートを充填し、前記杭頭部と前記プレキャストコンクリート部材とを接合するプレキャストコンクリート部材の杭頭部接合方法において、前記プレキャストコンクリート部材の杭頭部外周面と対向する面に固定される部材側支持具と、前記杭頭部に対する前記プレキャストコンクリート部材の位置が固定された状態において、前記部材側支持具に対し杭軸方向及び杭径方向で相対移動可能、且つ、前記杭頭部の外周面に固定可能な杭側支持具と、該杭側支持具と前記部材側支持具とを所望の位置で剛結合する結合手段とからなる接合支持部材を使用し、前記杭頭部と前記プレキャストコンクリート部材との相対位置を調整するとともに、前記部材側支持具と前記杭側支持具との相対位置を調整した後、該杭側支持具と前記部材側支持具とを剛結合し、前記杭頭部に前記接合支持部材を介して前記プレキャストコンクリート部材を支持させ、その状態で前記杭頭部と前記プレキャストコンクリート部材との間にコンクリートを充填することにより、杭頭部に対するプレキャストコンクリート部材の相対位置調整が杭毎にできるので、杭設置の際に高い精度を必要とせず、その分、杭設置作業が容易となるので工期及び工費を縮減することができる。
【００１７】
また、本発明において、前記杭頭部と前記プレキャストコンクリート部材との相対位置を調整するとともに、前記部材側支持具に対する前記杭側支持具の相対位置を調整した後に、前記杭側支持具を前記杭頭部に固定することにより、杭頭部に対するプレキャストコンクリート部材の位置調整が容易となる。
【００１８】
更に、本発明において、前記杭側支持具を前記杭頭部の外周に予め固定しておき、その状態で前記杭頭部と前記プレキャストコンクリート部材との相対位置を調整しつつ、前記部材側支持具と前記杭側支持具との相対位置を調整し、しかる後、該杭側支持具と前記部材側支持具とを剛結合することにより、杭頭部に対するプレキャストコンクリート部材の位置合わせが容易となる。
【００１９】
更にまた、本発明において、前記プレキャストコンクリート部材を吊り持ち支持する吊り枠を使用し、該吊り枠には、クレーンに吊り持ちされる吊り枠本体と、該吊り枠本体下に配置した前記プレキャストコンクリート部材を前記吊り枠本体に支持させる吊り具と、前記吊り枠本体のプレキャストコンクリート部材の杭挿入部に整合させた位置に下向きに突設された高さ調整可能な支持脚部とを備え、前記支持脚部を前記杭頭部上面に支持させ、前記吊り枠を前記杭頭部に支持させるとともに、前記支持脚部の高さを調整することにより前記杭頭部と前記プレキャストコンクリート部材との相対高さを調整することにより、杭にプレキャストコンクリート部材を安定して保持させることができるので、海象・気象条件の影響を受け難く、また、杭毎の杭頭部に対するプレキャストコンクリート部材の位置を容易に調整することができる。
【００２０】
本発明に係るプレキャストコンクリート部材の杭頭部支持構造は、上述したように、  プレキャストコンクリート部材を杭頭部に接合する際、前記杭頭部に前記プレキャストコンクリート部材が接合支持部材を介して仮支持されるようにしたプレキャストコンクリート部材の杭頭部支持構造において、前記接合支持部材は、前記プレキャストコンクリート部材の杭頭部外周面と対向する面に固定される部材側支持具と、前記杭頭部に対する前記プレキャストコンクリート部材の位置が固定された状態において、前記部材側支持具に対し杭軸方向及び杭径方向で相対移動可能、且つ、前記杭頭部の外周面に固定される杭側支持具と、該杭側支持具と前記部材側支持具とを所望の位置で剛結合する結合手段とを備え、前記杭頭部と前記プレキャストコンクリート部材との相対位置を調整する際に、前記部材側支持具と前記杭側支持具との相対位置が調整でき、且つ、調整後の位置で前記部材側支持具と前記杭側支持具とを剛結合できるようにしたことにより、杭にプレキャストコンクリート部材を接合し、桟橋等の構造物を構築する際、杭頭部に対するプレキャストコンクリート部材の位置調整を容易に行うことができ、その状態でプレキャストコンクリート部材を仮支持させることができる。
【図面の簡単な説明】
【００２１】
【図１】（ａ）は本発明によって杭頭部にプレキャストコンクリート部材が接合された構造物の一例を示す平面図、（ｂ）は同Ｘ−Ｘ線断面図である。
【図２】（ａ）は図１中のプレキャストコンクリート部材の一例を示す平面図、（ｂ）は同上の杭挿入部部分を示すＹ−Ｙ線断面図である。
【図３】（ａ）は図２中の部材側支持具を示す正面図、（ｂ）は同側面図である。
【図４】（ａ）は同上の杭側支持具を示す正面図、（ｂ）は同側面図である。
【図５】本発明に係るプレキャストコンクリート部材の杭頭部接合方法におけるプレキャストコンクリート部材の移送工程を説明するための断面図である。
【図６】同上の吊り枠設置及び高さ調整工程を説明するための断面図である。
【図７】図６中の杭挿入部部分を示す拡大断面図である。
【図８】同上の杭頭部にプレキャストコンクリート部材を支持させた状態を示す拡大平面図である。
【図９】本発明に係るプレキャストコンクリート部材の杭頭部接合方法の他の実施例を示す断面図である。
【発明を実施するための形態】
【００２２】
次に、本発明に係るプレキャストコンクリート部材の杭頭部接合方法及び杭頭部支持構造の実施態様を図１〜図８に示した実施例に基づいて説明する。
【００２３】
尚、本実施例は、桟橋の構築を例に説明し、図中符号Ａは桟橋等の構造物、符号Ｂは水面、符号１は杭、符号２は杭１，１間に架け渡される梁部を構成するプレキャストコンクリート部材である。
【００２４】
この構造物Ａの構築に際しては、所定の配置で水底部に複数の杭１，１...を打設した後、予め工場又は陸上の製作ヤードで製造されたプレキャストコンクリート部材２を搬入するとともに、各杭１，１...の杭頭部１ａに接合支持部材３を介してプレキャストコンクリート部材２を仮支持させる。
【００２５】
そして、仮支持させた状態でプレキャストコンクリート部材２と杭頭部１ａとの間にコンクリート４を打設することにより、プレキャストコンクリート部材２と杭頭部１ａとを接合させて杭１，１...とプレキャストコンクリート部材２からなる梁部とを一体化させる。
【００２６】
杭１，１...は、円筒状の鋼管によって構成された鋼管杭であって、その上端部が水面Ｂ上に突出するように所望の根入れ深さまで水底地盤に打設される。
【００２７】
プレキャストコンクリート部材２は、図２に示すように、互いに平行に配置されたプレキャストコンクリート造の一対の主梁部材５，５と、主梁部材５，５間に架け渡されたプレキャストコンクリート造の横梁部材６，６とを備え、主梁部材５，５と横梁部材６，６とが交差する部分に杭頭部１ａが挿入される上下に貫通した杭挿入部７が形成されている。
【００２８】
このプレキャストコンクリート部材２は、それぞれ別々に工場で製造されたプレキャストコンクリート造の主梁部材５，５と横梁部材６，６とを桟橋付近の陸上に移送し、そこで主梁部材５と横梁部材６とを型枠兼用連結具８によって連結することにより形成されている。
【００２９】
各主梁部材５，５は、鉄筋コンクリート造の直方体状に形成され、その一方の側部の横梁部材６，６と整合する位置に上下及び側面が開口した凹欠状の杭挿入部用凹部７ａが設けられ、杭挿入部用凹部７ａ側を互いに対向させて並列に配置されている。
【００３０】
また、各主梁部材５，５には、長手方向及び短手方向に鉄筋９，９...が埋設され、各鉄筋９，９...には、杭挿入部用凹部７ａの内側面に露出する部分に機械継手１０が固定されている。
【００３１】
各横梁部材６，６は、鉄筋コンクリート造の直方体状に形成され、両主梁部材５，５間であって、杭挿入部用凹部７ａに整合した位置に両主梁部材５，５間方向に向けて配置されるようになっている。
【００３２】
また、各横梁部材６，６には、その長手方向に向けて鉄筋９，９...が埋設され、各鉄筋９，９...の両端、即ち、横梁部材６，６の端面部に機械継手１０が固定されている。
【００３３】
型枠兼用連結具８は、鋼材をもって構成され、平板状の連結具本体１１と、連結具本体１１の両側端よりそれぞれ斜め方向に延出し互いに直角を成すよう配置された一対の取付片１２，１２とを備えている。
【００３４】
この型枠兼用連結具８は、各取付片１２，１２が主梁部材５の杭挿入部用凹部７ａの側面側開口縁部と横梁部材６の側面とにそれぞれボルト１３，１３で固定され、主梁部材５と横梁部材６とを連結するとともに、連結具本体１１が杭挿入部７の一部内壁を構成し、コンクリート４打設時の型枠として機能するようになっている。
【００３５】
尚、この型枠兼用連結具８には、連結具本体１１の背面に両取付片１２，１２間を連結する補強片１４，１４が一体に突設され、主梁部材５，５と横梁部材６，６とのせん断耐力が強化されている。
【００３６】
杭挿入部７は、主梁部材５，５の杭挿入部用凹部７ａの内側面、両型枠兼用連結具８及び横梁部材６，６の端面により上下に貫通した八角形孔状に形成され、その内部に杭頭部１ａが挿入されるようになっている。
【００３７】
この杭挿入部７の内側面、即ち、プレキャストコンクリート部材２の杭頭部１ａ外周面と対向する面には、接合支持部材３が固定され、この接合支持部材３が杭頭部１ａに固定されることでプレキャストコンクリート部材２を杭１，１...に仮支持させる構造になっている。
【００３８】
このプレキャストコンクリート部材の杭頭部支持構造において、接合支持部材３は、プレキャストコンクリート部材２の杭頭部１ａ外周面と対向する面に固定される部材側支持具１５と、部材側支持具１５に対し杭軸方向及び杭径方向で相対移動可能、且つ、杭頭部１ａの外周面に固定可能な杭側支持具１６とをもって構成されている。
【００３９】
また、この接合支持部材３には、部材側支持具１５と杭側支持具１６とを所望の位置で剛結合するための結合手段を備えている。
【００４０】
部材側支持具１５は、図３に示すように、鋼板からなる平板状の取付板１５ａと、取付板１５ａの表面に側端を垂直に突設させた鋼板からなる平板状の接合板１５ｂとを備え、取付板１５ａと接合板１５ｂとが平面視Ｔ字状を成している。
【００４１】
取付板１５ａは、接合板１５ｂを挟んで両側にそれぞれ板厚方向に貫通した複数のボルト挿通孔１７，１７...が形成され、このボルト挿通孔１７，１７...に通したボルト１８をプレキャストコンクリート部材２の杭頭部１ａ外周面と対向する面、即ち、主梁部材５，５の杭挿入部用凹部７ａの内側面、及び横梁部材６，６の端面に埋設されたナット（図示せず）に締め付けることにより部材側支持具１５がプレキャストコンクリート部材２の杭頭部１ａ外周面と対向する面に強固に固定される。
【００４２】
接合板１５ｂには、上下方向に間隔を置いて板厚方向に貫通した複数のボルト挿通孔１９，１９と、下端部に配置された水平（短手）に向けた板厚方向に貫通した長穴状の溶接用孔２０とが形成されている。
【００４３】
杭側支持具１６は、図４に示すように、鋼板からなる平板状に形成され、一方の側端縁が溶接等により杭頭部１ａに強固に固定できるようになっている。
【００４４】
この杭側支持具１６には、板厚方向に貫通した水平（短手）に向けた長穴状の複数のボルト挿通孔２１，２１と、上端部に配置された水平（短手）に向けた長穴状の溶接用孔２２とが形成されている。
【００４５】
結合手段は、部材側支持具１５と杭側支持具１６とを剛結合できるものであれば特に限定されないが、本実施例では、接合板１５ｂと杭側支持具１６とに貫通させたボルト２３の締め付けと溶接用孔２０，２２を利用した溶接とを併用している。
【００４６】
この接合支持部材３は、部材側支持具１５の接合板１５ｂと杭側支持具１６とが互いに平板状であるので、杭頭部１ａとプレキャストコンクリート部材２との位置調整の際、互いに相対移動可能に重ね合わされ、また、部材側支持具１５のボルト挿通孔１９，１９と杭側支持具１６のボルト挿通孔２１，２１とにボルト２３を貫通させることにより部材側支持具１５に杭側支持具１６を水平方向に摺動可能に支持させることもできる。
【００４７】
よって、このプレキャストコンクリート部材の杭頭部支持構造では、杭頭部１ａとプレキャストコンクリート部材２との相対位置を調整する際に、部材側支持具１５と杭側支持具１６との相対位置が調整でき、そして、調整後の位置で部材側支持具１５と杭側支持具１６とを剛結合し、位置調整した状態を維持することができる。
【００４８】
次に、上述の如き支持構造を使用したプレキャストコンクリート部材の杭頭部接合方法の具体的な手順を説明する。
【００４９】
まず、施工現場付近の陸上において、それぞれ予め工場等で製作されたプレキャストコンクリート造の主梁部材５，５及び横梁部材６，６を施工現場付近の陸上部に搬入し、そこで図２に示すように、各主梁部材５，５及び横梁部材６，６を型枠兼用連結具８によって連結し、プレキャストコンクリート部材２を組み立てる。
【００５０】
その際、プレキャストコンクリート部材２の杭頭部１ａ外周面と対向する面、即ち、主梁部材５，５杭挿入部用凹部７ａの各内周面と、横梁部材６，６の端面にそれぞれ接合支持部材３の部材側支持具１５を取付ける。
【００５１】
尚、杭側支持具１６は、部材側支持具１５より取り外された状態にあるか、又は、予め部材側支持具１５にボルト締めによって摺動可能に仮固定された状態になっており、部材側支持具１５に対し相対移動可能な状態にある。
【００５２】
次に、図５に示すように、組み上がったプレキャストコンクリート部材２を吊り枠３０に取付け、クレーン船又は陸上に設置されたクレーンで吊り上げる。尚、図中符号３１は玉掛けワイヤ、符号３２はクレーンより繰り出されたワイヤである。
【００５３】
使用する吊り枠３０は、クレーンに吊り持ちされる吊り枠本体３３と、吊り枠本体３３下に配置したプレキャストコンクリート部材２を吊り枠本体３３に支持させる吊り具３４，３４...と、吊り枠本体３３の杭挿入部７に整合させた位置に下向きに突設された高さ調整可能な支持脚部３５，３５...とを備え、吊り枠３０を介してクレーンでプレキャストコンクリート部材２を吊り持つことができるようにしている。
【００５４】
各支持脚部３５，３５...は、吊り枠本体３３に上端が固定された伸縮可能な可動部３６と、可動部３６の下端に固定された下脚部３７と、可動部３６の高さを調整するための高さ調整用ジャッキ３８とを備え、高さ調整用ジャッキ３８を操作することにより支持脚部３５，３５毎に高さ調整ができるようになっている。
【００５５】
そして、図５に示すように、クレーン船又は陸上に設置されたクレーンで吊り枠３０を介してプレキャストコンクリート部材２を吊り上げて移送し、図６に示すように、各杭１，１...の杭頭部１ａが杭挿入部７内に挿入させるとともに、吊り枠３０の各支持脚部３５，３５...を杭頭部１ａ上面に載置させる。
【００５６】
この状態では、図６、図７に示すように、吊り枠３０が各支持脚部３５，３５...を介して杭１，１...に支持され、クレーンによって吊り持ちされておらずとも、吊り枠３０下に吊り支持されたプレキャストコンクリート部材２が杭挿入部７に杭頭部１ａが挿入された状態で安定して保持されている。
【００５７】
このとき、接合支持部材３の杭側支持具１６は、未だ杭頭部１ａ外周面に固定されておらず、接合支持部材３の杭頭部１ａに対する相対高さ、即ちプレキャストコンクリート部材２の杭頭部１ａに対する相対位置を自由に調整することができる。
【００５８】
そして、この状態で各支持脚部３５，３５...の高さ調整用ジャッキ３８を操作し、各鉄筋９，９...の位置、プレキャストコンクリート部材２の平行度等を合わせつつ杭頭部１ａに対するプレキャストコンクリート部材２の高さを調整する。
【００５９】
杭頭部１ａに対するプレキャストコンクリート部材２の高さ調整が完了したら、次に、部材側支持具１５に対して杭側支持具１６を摺動させてその相対位置を調整し、杭側支持具１６の側縁部を杭頭部１ａの外周面に当接させる。
【００６０】
そして、その状態で接合板１５ｂと杭側支持具１６とに貫通させた結合ボルトを締め付け、且つ、杭側支持具１６と部材側支持具１５とを溶接用孔２０，２２を用いて溶接し、接合板１５ｂと杭側支持具１６とを剛結合し、更に、杭側支持具１６の側縁部を杭頭部１ａ外周面に溶接する。
【００６１】
これにより、プレキャストコンクリート部材２は、接合支持部材３を介して杭１，１...に支持された状態となり、プレキャストコンクリート部材２から吊り枠３０を取り外すことが可能となる。
【００６２】
次に、図７中の破線及び図８に示すように、各杭１，１...の杭頭部１ａにプレキャストコンクリート部材２の各鉄筋９，９...の位置に合わせて杭側鉄筋４０，４０...を配筋するとともに、杭頭部１ａの外周面に杭側鉄筋４０，４０...の下面を支持するように鉄筋受けプレート４１，４１...を溶接し、杭側鉄筋４０，４０...をプレキャストコンクリート部材２に埋設させた各鉄筋９，９...に機械継手１０を介して接続するとともに、杭側鉄筋４０，４０...を鉄筋受けプレート４１に溶接する。
【００６３】
そして、吊り枠３０をプレキャストコンクリート部材２から取り外して撤去し、接合支持部材３を介して各杭１，１...にプレキャストコンクリート部材２を支持させる。
【００６４】
次に、杭挿入部７の下面側開口を底用型枠材４２によって閉鎖し、その状態で各杭挿入部７内にコンクリート４を打設し、そのコンクリート４を養生固化させることにより、杭頭部１ａとプレキャストコンクリート部材２とを接合させ、各杭１，１...とプレキャストコンクリート部材２とを一体化させる。
【００６５】
尚、プレキャストコンクリート部材２を構成する主梁部材５，５と横梁部材６，６とが打設されたコンクリートを介して一体化されるので、図１に示すように、型枠兼用連結具８を取り外すことができ、取り外した型枠兼用連結具８を他に転用することができる。
【００６６】
そして、図５〜図８に示す一連の作業を必要に応じて繰り返し、杭頭部１ａにプレキャストコンクリート部材２からなる梁部を一体化させた構造を成し、特に図示しないが、その梁部上に現場打ちコンクリート又はプレキャスト造によって床版を形成し、桟橋を構築する。
【００６７】
このように構成されたプレキャストコンクリート部材の杭頭部接合方法では、接合支持部材３を構成する部材側支持具１５と杭側支持具１６とが互いに相対移動可能であって、両者が結合手段によって剛結合できる構造としたことで、杭１，１...毎に杭頭部１ａに対するプレキャストコンクリート部材２の相対位置を調整することができるので、従来技術に比べ杭１，１...設置の精度が緩和され、その分、工費及び工期を縮減することができる。
【００６８】
また、この杭頭部１ａ接合方法では、図に示す如き吊り枠３０を使用することによって、プレキャストコンクリート部材２を各杭１，１...に安定して保持させることができるとともに、支持脚部３５，３５...毎に高さ調整が可能である。
【００６９】
尚、上述の実施例では、プレキャストコンクリート造の主梁部材５，５と横梁部材６，６とを型枠用連結具８で連結させたプレキャストコンクリート部材２を例に説明したが、プレキャストコンクリート部材２の態様はこれに限定されず、例えば、主梁部材５，５又は横梁部材６，６をそれぞれ独立したプレキャストコンクリート部材２として本発明を適用してもよい。
【００７０】
また、上述の実施例において、接合支持部材３の部材側支持具１５は、プレキャストコンクリート部材２を組み立てる際に取り付けたが、その取付けの時期は、プレキャストコンクリート部材２を杭頭部１ａに設置した際、又は杭頭部１ａに対するプレキャストコンクリート部材２の相対位置を調整した後でもよい。
【００７１】
更に、上述の実施例では、部材側支持具１５に対する杭側支持具１６の相対位置を調整した後、杭側支持具１６を杭頭部１ａの外周に溶接した場合について説明したが、図９に示すように、杭側支持具１６を杭頭部１ａの外周に予め溶接しておき、その状態で杭頭部１ａとプレキャストコンクリート部材２との相対位置を調整しつつ、部材側支持具１５と杭側支持具１６との相対位置を調整し、しかる後、部材側支持具１５と杭側支持具１６とを剛結合するようにしてもよい。
【符号の説明】
【００７２】
１  杭
２  プレキャストコンクリート部材
３  接合支持部材
５  主梁部材
６  横梁部材
７  杭挿入部
７ａ  杭挿入部用凹部
８  型枠兼用連結具
９  鉄筋
１０  機械継手
１１  連結具本体
１２  取付片
１３  ボルト
１４  補強片
１５  部材側支持具
１５ａ  取付板
１５ｂ  接合板
１６  杭側支持具
１７  ボルト挿通孔
１８  ボルト
１９  ボルト挿通孔
２０  溶接用孔
２１  ボルト挿通孔
２２  溶接用孔
３０  吊り枠
３１  玉掛けワイヤ
３２  ワイヤ
３３  吊り枠本体
３４  吊り具
３５  支持脚部
３６  可動部
３７  下脚部
３８  高さ調整用ジャッキ
４０  杭側鉄筋
４１  鉄筋受けプレート
４２  底用型枠材
【図１】
0006032625.tif 000002
【図２】
0006032625.tif 000003
【図３】
0006032625.tif 000004
【図４】
0006032625.tif 000005
【図５】
0006032625.tif 000006
【図６】
0006032625.tif 000007
【図７】
0006032625.tif 000008
【図８】
0006032625.tif 000009
【図９】
0006032625.tif 000010